(57)【要約】【課題】液晶表示装置において、垂直方向に分割されたバックライト装置を順次点灯させることにより動画のぼやけを改善した時、画面の垂直位置によりその改善効果がばらつくのを緩和する。【解決手段】画素ＴＦＴに接続された複数のゲート配線を順次走査して駆動するゲートドライバ回路を備えた液晶パネルと、ゲートドライバの走査方向にＮ個に分割され、各々独立して点灯制御を行うバックライト装置と、映像信号の同期信号の周波数や同期信号に対する映像信号の位相を変化させ液晶パネルに出力する映像信号タイミング変調回路を有する液晶表示装置において、Ｎ個に分割されたバックライト装置を、液晶パネルに入力される垂直同期信号に同期して順次点灯および消灯させると共に、液晶パネルへ入力される水平同期信号の周波数を、バックライト装置の分割に対応して１フレーム内で変調する【選択図】図１
2007108484.tif 000002
【特許請求の範囲】
【請求項１】
水平同期信号および垂直同期信号が入力され、それらに同期した液晶駆動回路の各種タイミングパルスを発生するタイミング制御手段と、
前記タイミングパルスにより動作し、画素ＴＦＴに接続された複数のゲート配線を順次走査して駆動するゲートドライバ回路を備えた液晶パネルと、
前記ゲートドライバの走査方向にＮ個のブロックに分割され、ブロックごとに独立して点灯制御を行うように構成された点灯制御手段と、
映像信号の同期信号の周波数を変化させ前記液晶パネルに出力する映像信号タイミング変調手段を有し、
前記点灯制御手段は、前記液晶パネルに入力される垂直同期信号に同期して順次点灯および消灯させ、前記映像信号タイミング変調手段において、前記液晶パネルへ入力される水平同期信号の周波数は、前記点灯制御手段のブロック数に対応して１フレーム内で変調されることを特徴とする液晶表示装置。
【請求項２】
水平同期信号および垂直同期信号が入力され、それらに同期した液晶駆動回路の各種タイミングパルスを発生するタイミンング制御手段と、
前記タイミングパルスにより動作し、画素ＴＦＴに接続された複数のゲート配線を順次走査して駆動するゲートドライバ回路を備えた液晶パネルと、
前記ゲートドライバの走査方向にＮ個のブロックに分割され、ブロックごとに独立して点灯制御を行うように構成された点灯制御手段と、
同期信号に対する映像信号の位相を変化させ前記液晶パネルに出力する映像信号タイミング変調手段を有し、
前記点灯制御手段は、前記液晶パネルに入力される垂直同期信号に同期して順次点灯および消灯させ、前記映像信号タイミング変調手段において、前記映像信号の位相は、前記点灯制御装置のブロック数に対応して１フレーム内で変調されることを特徴とする液晶表示装置。
【請求項３】
前記液晶パネルに入力される水平同期信号の周波数が、１フレーム期間の平均水平周波数に対し高い期間と低い期間とに分けた場合、いずれか少なくとも一方が垂直映像有効期間内にＮ回存在する事を特徴とする請求項１又は２記載の液晶表示装置。
【請求項４】
前記液晶表示装置は、さらに、フレーム毎の映像信号の規則性からテレシネ映像を検出し、その映像変化の発生するフレームを検出するテレシネ映像検出手段を備え、前記テレシネ映像検出手段から得られる映像変化の発生するフレームに同期して、前記液晶パネルへ入力する映像信号の垂直位相もしくは垂直同期周波数を変化させる事を特徴とする請求項１又は２記載の液晶表示装置。
【請求項５】
前記液晶表示装置は、さらに、フレーム毎の映像信号の規則性からテレシネ映像を検出し、その映像変化の発生するフレームを検出するテレシネ映像検出手段を備え、前記テレシネ映像検出手段にて検出された映像変化の発生したフレームにおいて、液晶パネルへ入力する映像信号の水平同期周波数をフレーム内で変化させる事を特徴とした液晶表示装置。
【請求項６】
水平同期信号および垂直同期信号が入力され、それらに同期した液晶駆動回路の各種タイミングパルスを発生するタイミンング制御回路と、
前記タイミングパルスにより動作し、画素ＴＦＴに接続された複数のゲート配線を順次走査して駆動するゲートドライバ回路を備えた液晶パネルと、
パルス信号のデューティ制御により輝度を調整可能な点灯制御装置と、
前記バックライトを制御するためのパルス信号を生成するバックライト制御回路と、
映像信号の同期信号の周波数や同期信号に対する映像信号の位相を変化させ前記液晶パネルに出力する映像信号タイミング変調回路を有し、
前記パルス信号は前記映像信号タイミング変調回路に入力された映像信号の垂直同期信号に同期するものであり、
前記液晶パネルに入力される映像信号は、前記映像信号タイミング変調回路により、垂直位相を１フレームごとに変化させたものである事を特徴とする液晶表示装置。
【請求項７】
画像を表示するゲート線を順次走査するゲートドライバ及び画像を出力するソースドライバが接続された液晶パネルと、
前記ゲートドライバの走査方向にＮ個のブロックに分割され、ブロックごとに独立して点灯制御を行う点灯制御手段と、
前記液晶パネルに表示する映像信号を出力するタイミングを調整する信号変調手段とを備え、
前記点灯制御手段は同期信号に同期して順次点灯及び消灯を行い、前記信号変調手段は前記ブロック内においてライン毎に前記点灯又は消灯に対して映像信号を出力するタイミングを変化させることを特徴とする液晶表示装置。
【請求項８】
前記信号変調手段は、前記同期信号の周波数を変化させることにより、前記ブロック内においてライン毎に映像信号を出力するタイミングを変化させることを特徴とする請求項７記載の液晶表示装置。
【請求項９】
前記信号変調手段は、前記ブロック内において走査するラインの順番ごとに、同期信号の周波数が高くなることを特徴とする請求項８記載の液晶表示装置。
【請求項１０】
前記信号変調手段は、前記同期信号に対する映像信号の位相を変化させることにより、前記ブロック内においてライン毎に映像信号を出力するタイミングを変化させることを特徴とする請求項７記載の液晶表示装置。
【請求項１１】
前記信号変調手段は、前記ブロック内において走査するラインの順番ごとに、同期信号に対する映像信号の位相が短くなることを特徴とする請求項１０記載の液晶表示装置。
【発明の詳細な説明】
【技術分野】
【０００１】
本発明は、液晶パネルを用いた液晶テレビなどの液晶表示装置に関するものである。
【背景技術】
【０００２】
近年、液晶表示装置は、画質の向上や薄型のメリットが認知されると共に、大幅な低価格化が進みＰＣ用モニタや業務用の表示端末の他、家庭用のテレビ受像機として需要が急激に拡大している。液晶パネルは、パネルに入力されるクロック信号と水平同期信号、垂直同期信号（パネルによってはＤＥ信号などと呼ばれる映像有効期間を示す信号）から生成される駆動用の各種タイミングパルスに基づき動作する。
【０００３】
液晶パネルにおいて、液晶画素への映像データの書き込みは、通常、画面上端のラインから順次、水平周期毎に下方に向かって走査され、そのデータの更新は垂直周期毎に行われる。通常、クロック周波数、水平同期周波数、垂直同期周波数は所定の周波数で一定であるので、常に一定の速度で画面の垂直方向に上から下にスキャンされている。
【０００４】
ところで、液晶パネルは、近年、高速応答化が図られ、動画表示性能は実用上十分な許容レベルに到達してきてはいるものの、未だＣＲＴのそれには遠く及ばず、更に高画質な表示品位を実現するために動画像のぼやけの改善は液晶表示装置の重要な開発課題の一つである。このような、動画のぼやけの要因として、ホールド型表示という液晶の駆動原理に起因するものと、液晶そのものの応答速度が十分速くない事に起因するものとが良く知られている。
【０００５】
前者による動画のぼやけを改善する技術の一つとして、例えば特許文献１には、バックライトを垂直方向にＮブロックに分割し順次点灯、消灯する構成が示されている。また、一方後者による動画のぼやけを改善するためには、現行の映像信号と１フレーム前の映像信号から、実際に液晶を駆動するための階調を決定する、いわゆるオーバードライブ回路が一般的に備わっている。
【０００６】
ここで、特に映画を鑑賞するために液晶表示装置の画質モードをシネマモードなどに設定し、輝度を抑え目にした設定が為された場合、バックライトやインバータ回路の発熱が少なく他の表示モードよりパネルの温度が低下する。液晶表示装置の応答は、温度への依存性が高いため、例えば特許文献２では温度センサからの情報で前述のオーバードライブのＬＵＴを切り替える構成が示される。
【０００７】
さらに、一般に液晶表示装置はバックライトのＰＷＭ調光（バースト調光）により画面の輝度を調節する機能を備えている。ＰＷＭ調光は時として表示画面にノイズを発生させ、表示品位に影響を与える場合がある。ＰＷＭ調光が画像に影響を与えるケースとしてはパネルモジュール外の信号や回路に影響を与える場合と、パネルモジュール内で影響を与える場合とがある。前者は例えば表示装置に入力されたアナログ映像信号にＰＷＭ調光に起因するノイズが載ってしまい、結局最終の表示画面に現れてしまうものである。後者はＰＷＭ調光に起因する電源電圧変動やノイズがパネルモジュール内の液晶駆動回路に影響を与えたり、ランプの点灯、消灯自体がパネルの画素ＴＦＴの特性に影響を与え表示画面に現れるものである。
【０００８】
表示装置に入力されたアナログ映像信号に影響を与え、画面上にビート状の妨害が認識されるのを防止するため、ＰＷＭ調光信号を垂直同期信号に同期させる方法は有効な手段の一つであるが、パネルモジュール内でのノイズ重畳の面では、図１４に示すような固定の水平の縞状ノイズが認識されやすくなる場合も多々ある。このような場合、特許文献３には、バックライトを複数のブロックに分割し、それぞれ異なるＰＷＭ調光信号にて制御し、またそれらの調光信号の入れ替えを行う構成が示されている。特許文献３に示されるような構成とすることで、画面上のノイズ成分が弱くなるとともに、ノイズの位相が固定されなくなるため、ノイズを改善する事が出来る。
【特許文献１】特開平１１−２０２２８５号公報
【特許文献２】特開２００５−４２０３号公報
【特許文献３】特開２００４−２５９５１０号公報
【発明の開示】
【発明が解決しようとする課題】
【０００９】
しかしながら、前記従来の構成では下記のような課題があった。まず、バックライトを垂直方向にＮブロックに分割し順次点灯、消灯する構成にて、動画表示性能を改善した場合、ライン（垂直方向の位置）によってその改善効果の差が大きいという課題を本願発明者は見出した。例えば、図１５のように構成した液晶表示装置において、４ブロックに分割したバックライトの発光領域と液晶パネルの関係を図１６に示す。例えば第２のバックライトブロックの中央付近の第ｎラインと同一のバックライトブロックにあり第ｎラインからｋライン上方にある第ｎ−ｋラインについて考える。
【００１０】
第ｎラインにおける液晶の映像変化に対する透過率推移（以降、応答波形とする）とランプの点灯位相の関係が図１７（ａ）に示す関係である場合、第ｎ−ｋラインでは映像データの画素への書き込みは第ｎラインよりｋライン分早く発生するがランプの点灯は第ｎラインと同じであるため、図１７（ｂ）に示すように、液晶の応答波形とランプの点灯位相の関係が変化し、動画表示性能の改善効果が変化する。
【００１１】
垂直方向の画面位置と動画表示性能改善効果の関係は図１８（ａ）に示すように、分割したバックライトブロックに対応して変化し、改善効果が画面内で変化してしまい、十分な改善効果が得られない領域が発生してしまう。ブロック数を多くすればこの課題を解決することも可能であるが、例えば３２インチではの通常のバックライトは１６本〜２０本程度のランプであるが、一般的には均等に分割する事を考えると分割数には制限を生じるし、またＵ字ランプを採用しランプ数を半分に減らしたパネルやストレートランプの片側の電極を接続し、Ｕ字ランプのように使用する例もあり、実際には半分のランプ数と同等の制御しか出来ない場合も増えている。それ以前に分割数を増やすとインバータ回路や制御回路のコスト増となる問題もある。
【００１２】
また、ＰＷＭ調光による画面ノイズ軽減のため、分割したバックライト各々を、周波数の異なるＰＷＭ調光信号にて駆動する構成においては、インバータ回路や調光波形発生回路が独立して必要となるため、回路が複雑となり高コストとなる。またインバータ回路の動作が入力映像信号に対して非同期になるためビート妨害が認識されるようになる可能性もある。
【００１３】
さらに、別の課題として、特に大型の液晶パネルにおいては画面の上側の温度と下側が温度の差が大きい場合、動画表示性能の改善度合いが画面の上下方向で大きく異なるという課題もある。また、動画表示性能改善のため、オーバードライブのルックアップテーブルを複数準備し、温度により切り替える構成においては、ルックアップテーブルのデータを記憶するメモリ容量や温度センサなどの回路コストが増加する。特に価格競争の厳しい低インチのセットほどオーバードライブの温度制御は導入しづらい。
【課題を解決するための手段】
【００１４】
これらの課題を解決するために、第１の発明は、水平同期信号および垂直同期信号が入力され、それらに同期した液晶駆動回路の各種タイミングパルスを発生するタイミンング制御回路と、前記タイミングパルスにより動作し、画素ＴＦＴに接続された複数のゲート配線を順次走査して駆動するゲートドライバ回路を備えた液晶パネルと、前記ゲートドライバの走査方向にＮ個に分割され、各々独立して点灯制御を行うように構成されたバックライト装置と、映像信号の同期信号の周波数や同期信号に対する映像信号の位相を変化させ前記液晶パネルに出力する映像信号タイミング変調回路を有する液晶表示装置において、前記Ｎ個に分割されたバックライト装置を、前記液晶パネルに入力される垂直同期信号に同期して順次点灯および消灯させると共に、前記液晶パネルへ入力される水平同期信号の周波数を、前記バックライト装置の分割に対応して１フレーム内で変調する事により、液晶画素へのデータの書き込みタイミングと、バックライト装置の点灯消灯のタイミングとの位相関係を、液晶画面内でより均一化する。
【００１５】
また、別の発明としては、水平同期信号および垂直同期信号が入力され、それらに同期した液晶駆動回路の各種タイミングパルスを発生するタイミンング制御回路と、前記タイミングパルスにより動作し、画素ＴＦＴに接続された複数のゲート配線を順次走査して駆動するゲートドライバ回路を備えた液晶パネルと、フレーム毎の映像信号の規則性からテレシネ映像を検出し、その映像変化の発生するフレームを検出するテレシネ映像検出回路と、映像信号の同期信号の周波数や同期信号に対する映像信号の位相を変化させ前記液晶パネルに出力する映像信号タイミング変調回路を有する液晶表示装置において、前記テレシネ映像検出回路から得られる映像変化の発生するフレームに同期して、液晶パネルへ入力する映像信号の垂直位相もしくは垂直同期周波数を変化させ、次フレームの映像信号が液晶画素へ書き込まれるまでの時間が長くなるようにし、液晶パネルの温度が低下した際のオーバードライブの不足を補償する。
【００１６】
また、別の発明としては、同じく映像変化の発生するフレームに同期して、画面の特定の領域で次フレームの映像信号が液晶画素へ書き込まれるまでの時間が長くなるように水平同期周波数を変調し、液晶画面内の上下方向の温度差により特定領域でオーバードライブが不足するのを補償する。
【００１７】
また、別の発明としては、水平同期信号および垂直同期信号が入力され、それらに同期した液晶駆動回路の各種タイミングパルスを発生するタイミンング制御回路と、前記タイミングパルスにより動作し、画素ＴＦＴに接続された複数のゲート配線を順次走査して駆動するゲートドライバ回路を備えた液晶パネルと、パルス信号のデューティ制御により輝度を調整可能なバックライト装置と、前記バックライトを制御するためのパルス信号を生成するバックライト制御回路と、映像信号の同期信号の周波数や同期信号に対する映像信号の位相を変化させ前記液晶パネルに出力する映像信号タイミング変調回路を有する液晶表示装置において、バックライト制御用のパルス信号は、タイミング変調回路に入力された映像信号の垂直同期信号に同期させ、パネルに入力される映像信号は、垂直位相を１フレームごとに変化させることで、液晶画素への映像信号の書き込みとバックライト調光用のパルス信号の位相が固定されないようにする。
【発明の効果】
【００１８】
本発明によれば、バックライトの分割点灯による動画のぼやけを改善した液晶表示装置において、その改善効果を画面の全領域においてより均一にする事ができ、より高画質の液晶表示装置を提供できる。また、液晶表示装置のバックライトのＰＷＭ調光を垂直同期周波数に同期して行なう際に、液晶表示画面に現れやすいノイズを緩和した、より高画質な液晶表示装置を提供できる。
【００１９】
また、液晶表示装置で映画鑑賞する際に、バックライトの輝度を落とした状態であっても、オーバードライブ回路に温度制御を導入することなく動画のぼやけの少ない高画質な映像表示装置を提供できる。さらに、画面の上下方向の温度差が大きい場合であっても、下面全体に対して動画のぼやけを改善することができる。
【発明を実施するための最良の形態】
【００２０】
以下に、本発明の実施の形態について、図面を参照しながら説明する。
【００２１】
（実施の形態１）
図１から図６を参照して本発明の実施の形態１について説明する。図１は、本発明の実施の形態１における液晶表示装置のブロック図である。図１に示すように、本願発明の液晶表示装置は、バックライト装置１１及び液晶パネル１２により構成される液晶モジュール１０と、バックライト装置１１の点灯及び消灯を制御する点灯制御回路１７と、放送局から送信された放送信号から抽出した映像信号を上述した液晶パネルに表示するための所定の処理を行う信号処理回路１５と、信号処理回路により処理された映像信号を液晶パネルに出力するためのタイミングを調整する信号変調回路１６とにより構成されている。
【００２２】
ここで、液晶パネル１２は、水平同期信号及び垂直同期信号が入力されて、それらの同期信号に同期した液晶駆動回路の各種タイミングパルスを発生するためのタイミングコントローラや駆動回路を含んだものである。また、バックライト装置１１は液晶パネル１２の裏面に配置され、上下方向に４分割して制御可能な蛍光ランプ１３およびインバータ回路１４により構成されている。また、信号処理回路１５は液晶表示装置に必要な各種映像信号処理回路を示すものである。例えば色復調回路、ガンマ補正回路、コントラスト調整回路、ＮＲ回路、画質補正回路などである。また、信号変調回路１６は、具体的には、信号処理回路１５から出力された映像信号の同期信号の周波数や同期信号に対する映像信号の位相を変化させ前記液晶パネル１２に出力する。
【００２３】
ここで、垂直同期周波数とは、ディスプレイが１秒間に画面を書き換える回数のことをいい、ディスプレイの画面描画の速度をいう。また、水平同期周波数とは、ディスプレイが１秒間に描画するライン（横線）の数で、ディスプレイの画面描画の速度をいう。
【００２４】
なお、上記の液晶表示装置においては、液晶パネルを上下方向に４分割して蛍光ランプ１３及びインバータ回路１４を構成しているが、本願発明はこれに限定されるものではなく、液晶パネルのサイズに応じて変更することも可能である。なお、上記の液晶表示装置においては、垂直同期信号及び水平同期信号が入力され、それらに同期した液晶駆動回路の各種タイミングパルスを発生するために、基準発振クロックを生成する基準発信機（図示せず）を有しており、このクロックに基づいて点灯制御回路の制御も行っている。
【００２５】
次に、図２から図６を参照して本発明の液晶表示装置の処理方法について説明する。最初に、液晶表示装置に入力された映像信号を信号処理回路１５において、上述した色復調、ガンマ補正、コントラスト調整、ノイズリダクション、画質補正を行う。次に、信号処理が行われた映像信号について、映像信号の同期信号の周波数又は同期信号に対する映像信号の位相を変化させることにより、液晶パネルに表示する映像信号を出力するタイミングを調整する。一方、点灯制御手段１７は、信号処理回路から出力された制御信号及び同期信号が入力され、同期信号と同期して、液晶パネルの背面に接続されているランプ１３への電源の供給をインバータ１４を介して行う。
【００２６】
ここで、この信号変調回路１６について、図２乃至図４を参照しながら詳細に説明する。図２は、信号処理回路１５から出力された映像信号を信号変調回路１６における処理を行わずに出力した場合のバックライトの点灯及び消灯とライン毎の同期信号と映像信号との位相関係を示したものである。次に、図３は、信号変調回路１６において、同期信号の周波数を変化させた場合のバックライトの点灯及び消灯とライン毎の同期信号と映像信号との位相関係を示したものである。さらに、図４は、信号変調回路１６において、同期信号に対する映像信号の位相を変化させた場合のバックライトの点灯及び消灯とライン毎の同期信号と映像信号との位相関係を示したものである。
【００２７】
図２は、画面を複数のブロックに分けた（本実施の形態の場合には上述したように、上下方向に４分割）に分割したうちの一つのブロックを示しており、このブロックはｎ−ｋからｎ＋ｋのラインにより構成されている。上述したように、図２においては、液晶の応答波形とバックライトの点灯位相との位相が一致しておらず、動画表示性能の改善効果を均一化することができていない。
【００２８】
それに対して、図３に示すように、信号変調回路１６において、映像信号の同期周波数を変化させた場合、具体的には、ｎ−ｋよりもｎ−１の同期信号の周波数を高く、さらに、ｎ−１よりもｎの同期信号の周波数を高く、さらに、ｎよりもｎ＋１の同期信号の周波数を高くし、さらにｎ＋１からｎ＋ｋのラインにかけて同期信号の周波数を高くする。また、この処理を１フレーム単位でみた場合には、１フレーム期間の平均水平同期周波数に対して、周波数が高い期間と周波数の低い期間とに分けた場合には、いずれか少なくとも一方が垂直映像有効期間内に分割したブロック数と同じ４回存在することになる。
【００２９】
これにより、図２と比較して、液晶の応答波形とバックライトの点灯位相との位相が概一致しており、これにより、動画表示性能の改善効果をライン単位であっても均一化することが可能になるものである。
【００３０】
また、同様に、図４に示すように、信号変調回路１６において、同期信号に対する映像信号の位相を変化させた場合は、具体的には、ｎよりもｎ−１の同期信号から映像信号の開始のタイミングを長くし、さらに、ｎ−１よりもｎ−ｋの同期信号から映像信号の開始のタイミングを長くする。次に、ｎよりもｎ＋１の同期信号から映像信号の開始のタイミングを短くし、さらに、ｎ＋１よりもｎ＋ｋの同期信号から映像信号の開始のタイミングを短くする。
【００３１】
これにより、図２と比較して、液晶の応答波形とバックライトの点灯位相との位相が概一致しており、これにより、動画表示性能の改善効果をライン単位であっても均一化することが可能になるものである。
【００３２】
ここで、以上のように構成された液晶表示装置において、信号処理回路１５から出力される映像信号は、所定の水平同期周波数に基づいて一定の周期で出力されている。この映像出力のイメージ図を図５（ａ）に示す。本実施例において映像信号タイミング変調回路１６は、少なくとも２種類の水平同期周波数を、領域を指定して出力可能な構成であり、複数のブロックに分割したバックライト装置の境界付近の映像信号を出力する際には、他の領域の水平同期周波数（ｆＨ１）よりも水平同期周波数を下げて出力する（ｆＨ２）。この時の垂直周期で見た映像信号と同期信号出力のイメージ図を図５（ｂ）に示す。
【００３３】
このような処理により、図１６に示すバックライトを分割したブロックの中央付近の第ｎラインと第ｎラインからｋライン上方の第ｎ−ｋラインにおいて、映像信号の書き込みとバックライトの位相関係を考えた場合、映像信号タイミング変調回路１６の動作により、第ｎラインと第ｎ−ｋラインの位相関係の違いを、図１７の状態から図６の状態に縮小することができる。
【００３４】
なお、映像信号タイミング変調回路１６の構成や液晶パネル１２の許容範囲によっては、図５（ｃ）に示す様に、より分割した映像にしても良いし、図５（ｄ）に示すイメージのように水平同期周波数を滑らかに変調する事も考えられる。
【００３５】
以上のようにバックライトの分割数に応じて映像信号を変調する事により、図１８（ａ）のように画面の垂直方向によりばらつきの大きかった動画表示性能の改善効果を図１８（ｂ）のように改善する事が出来、画面全域において動画表示性能に優れた液晶表示装置を実現できる。
【００３６】
なお、本実施の形態１では、ライン毎に映像信号の同期信号の周波数や同期信号に対する映像信号の位相を変化させているが本願発明はこれに限定されるものではなく、複数のラインごとに映像信号の同期信号の周波数や同期信号に対する映像信号の位相を変化させる処理を行うことも可能である。これにより、動画表示性能の改善効果を均一化にすることが可能になるとともに、複雑な処理を行う必要がないという効果を奏するものである。
【００３７】
（実施の形態２）
次に、実施の形態２について、図７から図１１を参照して説明する。図７に示すように実施の形態２においては、実施の形態１で説明した液晶表示装置に加えて、テレシネ映像検出回路８０が追加されている。このテレシネ映像検出回路８０は、フレーム毎の映像信号の規則性からテレシネ映像を検出し、その映像変化の発生するフレームを検出するものである。
【００３８】
通常、垂直同期周波数が６０Ｈｚの映像方式において、映画素材は図８（ａ）に示す様に、同一画像が２フレームと３フレームの周期性を持って出力される。（インターレース方式では２フィールドと３フィールドとなるが、ここではプログレッシブ表示となる液晶パネルへの表示を基準とし１垂直周期分を１フレームとする。）よって映像が変化するのは２フレームもしくは３フレーム毎となる。
【００３９】
また液晶の応答速度は温度により変化し、図９に示すように、オーバードライブ処理が温度Ｔ１で最適化された場合、それより温度が低いＴ０の場合においては１フレームで応答しきらず、温度が高いＴ２の場合においては、過度応答となる。
【００４０】
また、図１０に示すように、オーバードライブは液晶の書き込み周期（一般には垂直周期となる）に依存するので、垂直同期周波数ｆｖｓ１でオーバードライブが最適化された場合、ｆｖｓ１より周波数の高いｆｖｓ０においては１フレームで応答しきらず、周波数の低いｆｖｓ２においては過度応答となる。
【００４１】
ここでユーザーがバックライトの輝度を落として、映画ソースを表示する場合、映像信号タイミング変調回路１６は、テレシネ検出回路８０から得られる映像変化のタイミングで垂直同期信号に対する映像位相をシフトする。図８（ｂ）に示すように、映像変化時に、液晶への書き込み周期をｔ２とし、標準の周期ｔ１よりも長くする。図１１に示す様に温度が下がり応答しきらない分を、書き込み周期を長くして補償する事が出来、よってオーバードライブのＬＵＴの面数を増やすことなく映画鑑賞時の動画のぼやけ現象の改善を図ることが出来る。
【００４２】
なおここで、垂直周期がｔ１およびｔ２となるように垂直同期周波数を変化させても同様の効果がある。
【００４３】
なお図８（ｂ）に示す様に標準のｔ１よりも短い液晶の書き込み周期ｔ０となる期間が発生するが、テレシネ映像に関しては画像が変化しないため問題とならない。
【００４４】
また、テレシネ検出８０から得られる映像変化のタイミングで水平同期周波数を変調し、垂直周期に対する映像信号のデューティを変化させた例を回路図８（ｃ）に示す。
【００４５】
ここでは映像の変化するフレームで映像信号タイミング変調回路１６にて、水平同期周波数を高くし、画面の上部で液晶の書き込み周期がｔ１のまま、画面の下部でｔ２まで長くした。一般に液晶パネルは画面の上部の方が温度が高く、画面の下部が低くなるので、画面の下方ほど液晶の応答が遅くなり動画表示性能の悪化が見られるが、画面の下方ほど液晶画素への書き込み周期を長くする事でそれを緩和することが出来る。
【００４６】
なおこの場合も標準の書き込み周期ｔ１より短いｔ０となる事があるが、これも上記と同様に映像が変化しないタイミングであるため問題とならない。
【００４７】
（実施の形態３）
次に、本願発明の実施の形態３について、図１２及び図１３を参照して説明する。図１２は、本発明の実施の形態３における液晶表示装置のブロック図である。映像信号タイミング変調回路１６は液晶パネル１２へ出力する映像信号の垂直同期信号に対する位相を図１３に示す様に１フレーム毎に変化させる。この構成により、バックライト装置用の調光パルスを、表示装置に入力される垂直同期信号と同期させたまま、液晶画素への書き込み位相だけ変化させる事が出来、バックライト装置のコストアップなしに調光による画面ノイズを改善することが可能となる。
【００４８】
なお、本発明では垂直同期信号、水平同期信号を入力する液晶パネルに関して説明しているが、同期信号の代わりに映像有効期間を示す信号を入力する液晶パネルにおいても、同様の効果がある。
【産業上の利用可能性】
【００４９】
本発明は、低コストでありながら、動画のぼやけや、画面ノイズを改善した高品位な表示を実現するものであり、液晶テレビや液晶モニタに利用されるものである。
【図面の簡単な説明】
【００５０】
【図１】本発明の実施の形態１の液晶表示装置を示すブロック図
【図２】本発明の実施の形態１における液晶の応答波形とバックライトの調光パルスの位相関係を示す図
【図３】本発明の実施の形態１における液晶の応答波形とバックライトの調光パルスの位相関係を示す図
【図４】本発明の実施の形態１における液晶の応答波形とバックライトの調光パルスの位相関係を示す図
【図５】本発明の実施の形態１における液晶パネルに入力される垂直同期信号と映像信号の関係を示す図
【図６】本発明の実施の形態１における液晶の応答波形とバックライトの調光パルスの位相関係を示す図
【図７】本発明の実施の形態２の液晶表示装置を示すブロック図
【図８】本発明の実施の形態３において液晶パネルに入力されるテレシネ映像と垂直同期信号の位相関係を示す図
【図９】オーバードライブ回路を備えた液晶表示装置の温度と応答波形の関係を示す図
【図１０】オーバードライブ回路を備えた液晶表示装置の垂直同期信号の周波数と応答波形の関係を示す図
【図１１】本発明の実施の形態２における液晶の応答波形の改善効果を示す図
【図１２】本発明の実施の形態３の液晶表示装置を示すブロック図
【図１３】本発明の実施の形態３における垂直同期信号と映像信号の関係を示す図
【図１４】従来技術におけるＰＷＭ調光による画面ノイズの例を示す図
【図１５】従来技術における液晶表示装置を示すブロック図
【図１６】従来技術におけるバックライト装置の分割と液晶パネルの表示ラインを示す図
【図１７】従来技術における液晶の応答波形とバックライトの調光パルスの位相関係を示す図
【図１８】液晶パネルの垂直画面位置と動画表示性能の改善効果を示す図
【符号の説明】
【００５１】
１０    液晶モジュール
１１    バックライト装置
１２    液晶パネル
１３    蛍光ランプ
１４    インバータ回路
１５    映像信号処理回路
１６    映像信号タイミング変調回路
１７    点灯制御回路
８０    テレシネ映像検出回路
【図１】
2007108484.tif 000003
【図２】
2007108484.tif 000004
【図３】
2007108484.tif 000005
【図４】
2007108484.tif 000006
【図５】
2007108484.tif 000007
【図６】
2007108484.tif 000008
【図７】
2007108484.tif 000009
【図８】
2007108484.tif 000010
【図９】
2007108484.tif 000011
【図１０】
2007108484.tif 000012
【図１１】
2007108484.tif 000013
【図１２】
2007108484.tif 000014
【図１３】
2007108484.tif 000015
【図１４】
2007108484.tif 000016
【図１５】
2007108484.tif 000017
【図１６】
2007108484.tif 000018
【図１７】
2007108484.tif 000019
【図１８】
2007108484.tif 000020